(57)【特許請求の範囲】
【請求項１】
揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端と飽和層とに設置されている各井戸に汚染浄化部の注気装置を結合し、不飽和層に設置されている井戸に汚染浄化部の排気装置を結合するように制御バルブを操作することを特徴とする汚染浄化システムの操作方法。
【請求項２】
揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端と飽和層とに設置されている各井戸に汚染浄化部の排水装置を結合し、不飽和層に設置されている井戸を閉塞するように制御バルブを操作することを特徴とする汚染浄化システムの操作方法。
【請求項３】
揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端に設置されている井戸に汚染浄化部の排水装置を結合し、揚水された後の飽和層及びもしくは不飽和層に設置されている各井戸に汚染浄化部の排気装置を結合するように制御バルブを操作することを特徴とする汚染浄化システムの操作方法。
【請求項４】
揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端と飽和層とに設置されている各井戸に汚染浄化部の排水装置を結合し、不飽和層に設置されている井戸に汚染浄化部の排気装置を結合するように制御バルブを操作することを特徴とする汚染浄化システムの操作方法。
【請求項５】
揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端に設置されている井戸に汚染浄化部の排水装置を結合し、揚水された後の飽和層と不飽和層に設置されている井戸に汚染浄化部の排気装置を結合するように制御バルブを操作して、交互もしくは同時に構成することを特徴とする汚染浄化システムの操作方法。
【請求項６】
揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、最初に、不透水層上端と飽和層とに設置されている各井戸に汚染浄化部の注気装置を結合し不飽和層に設置されている井戸に汚染浄化部の排気装置を結合するように制御バルブを操作し、次いで、不透水層上端と飽和層とに設置されている各井戸を汚染浄化部の排水装置に結合するように制御バルブを切替え操作し、飽和層の水位が低下した段階で、飽和層に設置されている井戸を汚染浄化部の排気装置に結合するように制御バルブを切替え操作することを特徴とする汚染浄化システムの操作方法。
【請求項７】
揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、最初に、不透水層上端と飽和層とに設置されている各井戸に汚染浄化部の排水装置を結合して飽和層を排水し、次いで、飽和層に設置されている井戸を汚染浄化部の排気装置に結合するように制御バルブを切替え操作し、不飽和層に設置されている井戸に汚染浄化部の排気装置を結合するように制御バルブを操作することを特徴とする汚染浄化システムの操作方法。
【請求項８】
揮発性有機化合物の汚染区域の周辺に設置した止水壁、該止水壁内の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端と飽和層とに設置されている各井戸に汚染浄化部の注気装置を結合し、不飽和層に設置されている井戸に汚染浄化部の排気装置を結合するように制御バルブを操作することを特徴とする汚染浄化システムの操作方法。
【請求項９】
揮発性有機化合物の汚染区域の周辺に設置した止水壁、該止水壁内の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端と飽和層とに設置されている各井戸に汚染浄化部の排水装置を結合し、不飽和層に設置されている井戸に汚染浄化システムの排気装置を結合するように制御バルブを操作することを特徴とする汚染浄化システムの操作方法。
【請求項１０】
揮発性有機化合物の汚染区域の周辺に設置した止水壁、該止水壁内の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、最初に、不透水層上端と飽和層とに設置されている各井戸に汚染浄化部の注気装置を結合し不飽和層に設置されている井戸に汚染浄化部の排気装置を結合するように制御バルブを操作し、次いで、不透水層上端と飽和層とに設置されている各井戸を汚染浄化部の排水装置に結合するように制御バルブを切替え操作し、飽和層の水位が低下した段階で、不透水層上端の井戸を閉塞し、飽和層に設置されている井戸を汚染浄化部の排気装置に結合するように制御バルブを切替え操作することを特徴とする汚染浄化システムの操作方法。
【請求項１１】
揮発性有機化合物の汚染区域の周辺に設置した止水壁、該止水壁内の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、最初に、不透水層上端と飽和層とに設置されている各井戸に汚染浄化部の排水装置を結合して飽和層を排水し、次いで、飽和層に設置されている井戸を汚染浄化部の排気装置に結合するように制御バルブを切替え操作し、不飽和層に設置されている井戸に汚染浄化部の排気装置を結合するように制御バルブを操作することを特徴とする汚染浄化システムの操作方法。
【請求項１２】
揮発性有機化合物の汚染区域の周辺に設置した止水壁、該止水壁内の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端及びもしくは飽和層に設置されている井戸に汚染浄化部に追加装備した注水装置を結合し、飽和層及びもしくは不飽和層に設置されている井戸に汚染浄化部の排水装置を結合するように制御バルブを操作することを特徴とする汚染浄化システムの操作方法。
【発明の詳細な説明】
【０００１】
【発明の属する技術分野】
本発明は、揮発性有機化合物に対する汚染浄化システムとその操作方法に関し、特に、汚染区域の揮発性有機化合物が埋設している各層に複数の井戸を設置し、これらの井戸に制御バルブによって汚染浄化システムを選択的に結合して、浄化処理を効率的に実施する揮発性有機化合物に対する汚染浄化システムとその操作方法に関する。
【０００２】
【従来の技術】
土地は、本来的に植物の生産や建造物等を支持する担体として、さらには水質浄化、地下水涵養の担手として重要な位置を占めており、常に健全な状態の維持を求められている。
【０００３】
しかして、近年になって土地にも揮発性有機化合物の汚染が指摘されており、これらを浄化する手法として高度の技術と経験が求められてきた。土地における揮発性有機化合物の汚染は、汚染物質がタンクから流出したり廃棄物の埋立地から土壌に浸透することによって発生するものであって、これらの物質が不飽和層の土壌に滞留したり、飽和層の土壌に滞留したり、地下水に浸透して溶解し、さらには不透水層の上端に堆積することで、土地が本来的に求められている健全な状態を破壊して人の健康にまで悪影響を与える事態に発展している。
【０００４】
汚染物質の中でも、１．１．１−トリクロロエタン、トリクロロエチレン、テトラクロロエチレン等の揮発性有機化合物は、環境基準としても注目されているが、液状の状態で土壌中を通って飽和層に浸透して、地下水中に溶け込んで流れ方向に拡散したり、不透水層の上端に高濃度の状態で堆積することで汚染していることから、汚染処理のためには地下水に対する処置が重要になっている。
従来の揮発性有機化合物に対する原位置での汚染浄化方法には、スパージング工法、地下水の揚水工法及び土壌ガス吸引工法がある。
【０００５】
これらの工法の概要を図１３に示しているが、地盤は、不飽和層１、飽和層２及び不透水層３から構成されており、上述したように汚染物質が地盤中に浸透して不飽和層１の土壌４に滞留したり、飽和層２の土壌に滞留するか地下水５に浸透して溶解しており、さらには不透水層３の上端に堆積している。
【０００６】
このために、汚染土壌の浄化処理に構成される工法は、一般的に図１３（ａ）ように、スパージング工法５０が飽和層２に存在する地下水５の原位置浄化手法として用いられており、汚染浄化システム５１の注気装置５２からスパージ井戸６に空気を送って地下水中に注入される空気で揮発性有機化合物を気化させている。
【０００７】
気化された揮発性有機化合物は、抽出井戸７からガスとして吸引ポンプ５３で抽出され、汚染浄化システム５１の気液分離器５４に供給されてからブロアー５５を介しガス処理装置５６で無害化処理される。ガス処理装置５６では、ガスを活性炭吸着、加熱脱着、紫外線によって無害状態に処理しており、処理されたガスは、通常の清浄なガスとして大気中に排気されている。
【０００８】
地下水の揚水工法６０は、図１３（ｂ）に示すように飽和層２に存在する地下水５の原位置浄化手法として用いられており、地下水５は飽和層２に配置された揚水井戸８によって揚水されている。汚染浄化システム６１の排水ポンプ６２で揚水された地下水は、汚染浄化システム６１の曝気装置６３に供給されて浄化された後に排水されている。汚染地下水から気化されたガスは、ブロアー５５を介しガス処理装置５６で無害化処理され、清浄なガスとして大気中に排気される。
【０００９】
土壌ガス吸引工法７０は、図１３（ｃ）に示すように不飽和層１に存在する土壌４の原位置浄化手法として用いられている。本工法では、スパージング工法と同様に土壌中に空気を送られる場合もあるが、一般的には、抽出されたガスをスパージング工法と同様の汚染浄化システム５１で処理されている。
【００１０】
即ち、土壌中の揮発性有機化合物は、土粒子に付着又は土粒子間に存在するガス状の汚染物質として、抽出井戸７から吸引ポンプ５３で抽出されており、抽出されたガスは、汚染浄化システム５１の気液分離器５４で液体を分離してからブロアー５５でガス処理装置５６に送られ、ガス処理装置５６で無害化処理されることで清浄なガスとして大気中に排気されている。
【００１１】
これらの工法は、現地における地層や地下水等の状況に合わせて、経験的に選択されて工法の採用を行っているが、いずれの工法も独立した専用の工法であるために、揮発性有機化合物の浄化過程において地下水の変動や浄化の程度に応じて浄化工法の変更を行なう場合には、旧工法の撤去と新工法の設置という盛替工事を必要にしていた。
【００１２】
さらに、選択された工法を採用し長期間の処理を遂行しても、汚染浄化の進展が捗らない場合には、工法の変更を行ってから再度の浄化処理を行うことになり、このような場合にも上記のよう旧工法の撤去と新工法の設置という盛替工事を行なうことが必要になって、工法の盛替え費用の出費と処理期間の長期化を生じるという問題点を抱えていた。
【００１３】
【発明が解決しようとする課題】
本発明は、これらの事情に鑑みて、汚染された揮発性有機化合物を効率良く浄化処理するために提案するものであり、揮発性有機化合物の状況が変化した場合や、構成した浄化工法での浄化過程において地下水の変動もしくは浄化の進展に応じて効率的な浄化を図るために工法の変更が必要になった場合でも、大規模な盛替工事を実施すること無く、汚染した揮発性有機化合物の浄化を効率的に達成することの出来る揮発性有機化合物に対する汚染浄化システムとその操作方法を提供している。
【００１４】
【課題を解決するための手段】
揮発性有機化合物に対する汚染浄化システムは、揮発性有機化合物の汚染区域の不透水層上端、飽和層及び不飽和層のそれぞれに設置される複数の井戸、汚染揮発性有機化合物を浄化するための注気装置と排気・排水処理装置から成る汚染浄化部及び井戸と汚染浄化部とを結合する各配管に配備され井戸と汚染浄化部との結合を選択的に設定する複数の制御バルブから構成されており、制御バルブの切換操作によって、浄化する汚染揮発性有機化合物の状況に合わせた最適な工法を構成することで、目標の汚染揮発性有機化合物を効率的に浄化している。
【００１５】
請求項１に記載の発明である汚染浄化システムの操作方法は、揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端と飽和層とに設置されている各井戸に汚染浄化部の注気装置を結合し、不飽和層に設置されている井戸に汚染浄化部の排気装置を結合するように制御バルブを操作することで、スパージング工法を構成できる。
【００１６】
請求項２に記載の発明である汚染浄化システムの操作方法は、揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端と飽和層とに設置されている各井戸に汚染浄化部の排水装置を結合し、不飽和層に設置されている井戸を閉塞するように制御バルブを操作することで、地下水の揚水工法を構成できる。
【００１７】
請求項３に記載の発明である汚染浄化システムの操作方法は、揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端に設置されている井戸に汚染浄化部の排水装置を結合し、揚水された後の飽和層及びもしくは不飽和層に設置されている各井戸に汚染浄化部の排気装置を結合するように制御バルブを操作することで、土壌ガス吸引工法を構成できる。
【００１８】
請求項４に記載の発明である汚染浄化システムの操作方法は、揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端と飽和層とに設置されている各井戸に汚染浄化部の排水装置を結合し、不飽和層に設置されている井戸に汚染浄化部の排気装置を結合するように制御バルブを操作することで、地下水の揚水工法と土壌ガス吸引工法とを交互に構成できる。
【００１９】
請求項５に記載の発明である汚染浄化システムの操作方法は、揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端に設置されている井戸に汚染浄化部の排水装置を結合し、揚水された後の飽和層と不飽和層に設置されている井戸に汚染浄化部の排気装置を結合するように制御バルブを操作することで、水位の低下した状態での地下水の揚水工法と土壌ガス吸引工法とを交互もしくは同時に構成できる。
【００２０】
請求項６に記載の発明である汚染浄化システムの操作方法は、揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、最初に、不透水層上端と飽和層とに設置されている各井戸に汚染浄化部の注気装置を結合し不飽和層に設置されている井戸に汚染浄化部の排気装置を結合するように制御バルブを操作し、次いで、不透水層上端と飽和層とに設置されている各井戸を汚染浄化部の排水装置に結合するように制御バルブを切替え操作し、飽和層の水位が低下した段階で、飽和層に設置されている井戸を汚染浄化部の排気装置に結合するように制御バルブを切替え操作することで、スパージング工法から地下水の揚水工法へ、次いで土壌ガス吸引工法に変換させるように構成できる。
【００２１】
請求項７に記載の発明である汚染浄化システムの操作方法は、揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、最初に、不透水層上端と飽和層とに設置されている各井戸に汚染浄化部の排水装置を結合して飽和層を排水し、次いで、飽和層に設置されている井戸を汚染浄化部の排気装置に結合するように制御バルブを切替え操作し、不飽和層に設置されている井戸に汚染浄化部の排気装置を結合するように制御バルブを操作することで、地下水の揚水工法から土壌ガス吸引工法に変換させるように構成できる。
【００２２】
また、揮発性有機化合物に対する汚染浄化システムは、揮発性有機化合物の汚染区域の周辺に設置した止水壁と、止水壁内の不透水層上端、飽和層及び不飽和層のそれぞれに設置される複数の井戸、汚染揮発性有機化合物を浄化するための注気装置と排気・排水処理装置から成る汚染浄化部及び井戸と汚染浄化部とを結合する各配管に配備され井戸と汚染浄化部との結合を選択的に設定する複数の制御バルブから構成されており、制御バルブの切換操作によって、止水壁によって地下水の移動を止めながら浄化する汚染揮発性有機化合物の状況に合わせた最適な工法を構成することで目標の汚染揮発性有機化合物を確実に浄化している。
【００２３】
請求項８に記載の発明である汚染浄化システムの操作方法は、揮発性有機化合物の汚染区域の周辺に設置した止水壁、該止水壁内の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端と飽和層とに設置されている各井戸に汚染浄化部の注気装置を結合し、不飽和層に設置されている井戸に汚染浄化部の排気装置を結合するように制御バルブを操作することで、止水壁で区画された範囲の地下水にスパージング工法を構成して浄化を確実にしている。
【００２４】
請求項９に記載の発明である汚染浄化システムの操作方法は、揮発性有機化合物の汚染区域の周辺に設置した止水壁、該止水壁内の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端と飽和層とに設置されている各井戸に汚染浄化部の排水装置を結合し、不飽和層に設置されている井戸に汚染浄化システムの排気装置を結合するように制御バルブを操作することで、止水壁で区画された範囲において地下水揚水工法と土壌ガス吸引工法とを交互に構成して浄化を確実にしている。
【００２５】
請求項１０に記載の発明である汚染浄化システムの操作方法は、揮発性有機化合物の汚染区域の周辺に設置した止水壁、該止水壁内の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、最初に、不透水層上端と飽和層とに設置されている各井戸に汚染浄化部の注気装置を結合し不飽和層に設置されている井戸に汚染浄化部の排気装置を結合するように制御バルブを操作し、次いで、不透水層上端と飽和層とに設置されている各井戸を汚染浄化部の排水装置に結合するように制御バルブを切替え操作し、飽和層の水位が低下した段階で、不透水層上端の井戸を閉塞し、飽和層に設置されている井戸を汚染浄化部の排気装置に結合するように制御バルブを切替え操作することで、止水壁で区画された範囲においてスパージング工法から地下水の揚水工法へ、次いで土壌ガス吸引工法に変換させながら構成させて浄化を確実にしている。
【００２６】
請求項１１に記載の発明である汚染浄化システムの操作方法は、揮発性有機化合物の汚染区域の周辺に設置した止水壁、該止水壁内の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、最初に、不透水層上端と飽和層とに設置されている各井戸に汚染浄化部の排水装置を結合して飽和層を排水し、次いで、飽和層に設置されている井戸を汚染浄化部の排気装置に結合するように制御バルブを切替え操作し、不飽和層に設置されている井戸に汚染浄化部の排気装置を結合するように制御バルブを操作することで、止水壁で区画された範囲において地下水の揚水工法から土壌ガス吸引工法に変換させながら構成させて浄化を確実にしている。
【００２７】
請求項１２に記載の発明である汚染浄化システムの操作方法は、揮発性有機化合物の汚染区域の周辺に設置した止水壁、該止水壁内の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端及びもしくは飽和層に設置されている井戸に汚染浄化部に追加装備した注水装置を結合し、飽和層及びもしくは不飽和層に設置されている井戸に汚染浄化部の排水装置を結合するように制御バルブを操作することで、止水壁で区画された範囲において土粒子に付着又は土粒子間に存在するガス状の汚染物質を、注水井戸からの注水によって地下水中に遊離させ、しかる後に汚染物質の浮遊している地下水を抽出し、これを汚染浄化部で浄化するので汚染土壌の浄化を確実にしている。
【００２８】
【発明の実施の形態】
本発明による揮発性有機化合物に対する汚染浄化システムは、揮発性有機化合物の汚染区域の不透水層上端、飽和層及び不飽和層のそれぞれに設置される複数の井戸と、汚染揮発性有機化合物を浄化するための注気装置と排気・排水処理装置から成る汚染浄化部及び井戸と汚染浄化部とを結合する各配管に配備され井戸と汚染浄化部との結合を選択的に設定する複数の制御バルブから構成されている。
【００２９】
これによって、汚染揮発性有機化合物を効率的に浄化できるように、制御バルブを切換操作することで、土壌の構成や汚染浄化の状況に合わせた最適な工法を構成している。
【００３０】
以下に、本発明の実施の形態を図面に基づいて説明し、各種の浄化工法を構成できる形態を明らかにする。
【００３１】
図１は、本発明による揮発性有機化合物に対する汚染浄化システムの概要図である。
【００３２】
図において、１は不飽和層、２は飽和層であり、３は不透水層であって、地盤中に埋設された廃棄物やタンクに貯蔵されている液体等からの汚染物質は、保存位置から土壌中に浸透することで、不飽和層１の土壌４に滞留したり、飽和層２の土壌に滞留するか地下水５にも浸透して溶解しており、状況によっては不透水層３の上端に堆積している。
【００３３】
本発明による汚染浄化システムを構成している複数の井戸１０は、不飽和層１に配置の井戸６と飽和層２に配置の井戸７及び不透水層３の上端に配置の井戸８から構成されており、いずれも汚染浄化部範囲の状況等に対応させて、これらの井戸自体も複数本の井戸が上記の各地層に配置されている。
【００３４】
不飽和層１に配置の井戸６は、土壌中のガスを抽出する抽出井戸として機能させており、飽和層２に配置の井戸７は、空気を地下水中に注入するスパージ井戸として機能させる場合と、地下水の揚水井戸として機能させる場合、さらには飽和層の地下水位が低下した状態で抽出井戸として機能させる場合がある。同様に、不透水層３の上端に配置の井戸８は、空気を地下水中に注入するスパージ井戸として機能させる場合を主にしているが、井戸７と共に地下水の揚水井戸としても機能させており、特に飽和層に存在する地下水の水位が下がった状態においては単独で地下水の揚水井戸として機能させている。
【００３５】
又、本発明による汚染浄化システムを構成している汚染浄化部１１は、地中から抽出された地下水やガスを浄化処理するために、以下のポンプ、ブロアと処理装置とを所定の結合状態に置くことで上述した３工法を形成する浄化処理機構を構成している。
【００３６】
○  スパージング工法の処理機構
注気ポンプ２１、
排気ポンプ２３→  気液分離装置２４→
移送ブロア２５→  ガス処理装置２６、
○  土壌ガス吸引工法の処理機構
（  注気ポンプ２１  ）、
排気ポンプ２３→  気液分離装置２４→
移送ブロア２５→  ガス処理装置２６、
○  地下水の揚水工法の処理機構
排水ポンプ２７→  曝気装置２８→
移送ブロア２５→  ガス処理装置２６、
以上のように、汚染浄化部１１は、移送ブロア２５→  ガス処理装置２６の系統に、排気ポンプ２３→  気液分離装置２４と排水ポンプ２７→  曝気装置２８との各系統を並列に配管して置くことによって、不飽和層１に配置の井戸６、飽和層２に配置の井戸７もしくは不透水層３の上端に配置の井戸８との配管を選択的に切替操作することで、従前の３工法に選択的に対処できるものである。
【００３７】
このために、本発明による汚染浄化システムを構成している複数の制御バルブ１２は、各井戸６、７、８と汚染浄化部１１の各ポンプ２１、２３もしくは２７とを結合している配管に配備されており、井戸１０と汚染浄化部１１との配管を選択的に接続替えができるように、制御装置２９によって操作されている。
【００３８】
以上のように、本発明による揮発性有機化合物に対する汚染浄化システムは、複数の井戸と汚染浄化部とを適宜選択し、これを制御バルブによって任意に接続替えすることによって、所望の浄化工法の形態に構成することができるものであるから、浄化する汚染揮発性有機化合物の状況に合わせた最適な工法を構成して、目標の汚染揮発性有機化合物を短期間で効率的に浄化できる。
【００３９】
上記実施の形態は、汚染区域における地下水の流れには処置を施さずにそのままの状態で、揮発性有機化合物に対する汚染浄化を施しているので、汚染浄化の進捗度が曖昧になる状況も想定される。
【００４０】
図２に示す実施の形態は、このような状態を避けるために、汚染区域の周辺に止水壁を設置して汚染区域の状態を限定した場合の実施の形態図である。
【００４１】
本実施の形態では、汚染区域の周辺に止水壁３０を構築することで汚染揮発性有機化合物の状況を特定しており、汚染浄化が進展して地下水の水位が低下したり、これに伴って土壌中の汚染物質に変化が現れても、汚染物質全体の区域外への移動を遮断している。
【００４２】
従って、止水壁で地下水の移動を止めた範囲において、制御バルブの切換操作によって、浄化する汚染揮発性有機化合物の状況に合わせた最適な工法を構成することができるので、目標の汚染揮発性有機化合物を確実に浄化でき、交互に浄化の達成度についても正確な状況を把握することが可能になる。
【００４３】
さらに、本実施の形態では、汚染浄化部１１に構成されている注水ポンプ２２を稼働させている。これによって、上記実施の形態で説明した３工法の他に次の工法を追加して、より確実な汚染浄化を可能にしている。
【００４４】
○  注水による土壌ガスの処理機構
注水ポンプ２２、
排水ポンプ２７→  曝気装置２８→
移送ブロア２５→  ガス処理装置２６、
本工法は、飽和層２に設置されている井戸７と不透水層上端３設置されている井戸８に汚染浄化部１１の注水ポンプ２２から洗浄水を注入することで、飽和層２もしくは不飽和層１を構成している土壌中の土粒子に付着するか、土粒子間に在るガス状の汚染物質を地下水中に遊離させて、汚染物質が浮遊している地下水と共に抽出し汚染浄化部１１で浄化している。
【００４５】
尚、上記例では、汚染浄化部１１での処理機構を地下水の揚水工法で説明しているが、状況に合わせて、他の工法を適宜選択して構成することも可能である。
【００４６】
以上のように、本実施の形態では、止水壁で地下水の移動を止めることで、汚染土壌を洗浄する等の最適な工法を構成できることから、汚染揮発性有機化合物を確実に浄化できると交互に、浄化の達成度についても正確な状況を把握することが可能になる。
【００４７】
図３は、本発明による汚染浄化システムにおいて、不透水層上端と飽和層に対してスパージング工法を構成する実施の形態図である。
【００４８】
図において、不飽和層１に配置の井戸６は、制御装置２９で制御バルブ１２を操作することによって、汚染浄化部１１の排気ポンプ２３に接続されて、土壌中のガスを抽出する抽出井戸として機能させている。一方、飽和層２に配置の井戸７と不透水層３の上端に配置の井戸８とは、汚染浄化部１１の注気ポンプ２１に接続されて、空気を地下水中に注入するスパージ井戸として機能させている。
【００４９】
これによって、地下水中に注入される空気が揮発性有機化合物を気化させて、抽出井戸７からガスとして排気ポンプ２３で抽出され、汚染浄化部１１の気液分離器２４に供給されてからブロアー２５を介しガス処理装置２６で無害化処理される。
【００５０】
本発明による汚染浄化システムは、以上のように、制御バルブの切替操作によって各種の浄化工法に容易に変換構成できるものであるが、以下の図４〜１２に基づいて構成される浄化工法の実施の形態を説明する。
【００５１】
図４は、不透水層上端と飽和層に対して地下水の揚水工法を構成する実施の形態図である。
【００５２】
本実施の形態では、不透水層上端３と飽和層２とに設置されている各井戸８、７に汚染浄化部１１の排水ポンプ２７を結合し、不飽和層に設置されている井戸６を閉塞するように制御バルブ１２を操作することで、地下水の揚水工法を構成している。
【００５３】
図５は、不透水層上端に対する地下水の揚水工法と、揚水して水位の低下した後の飽和層と不飽和層とに土壌ガス吸引工法とを交互に構成する実施の形態図である。
【００５４】
本実施の形態では、不飽和層１と水位の低下した後の飽和層２とに設置されている各井戸６、７に汚染浄化部１１の排気ポンプ２３を結合し、不透水層上端３に設置されている井戸８に汚染浄化部１１の排水ポンプ２７を結合して、地下水位の低下を図りながら交互に稼働するように制御バルブを操作することで、地下水の揚水工法と土壌ガス吸引工法とを随意に構成できるようにしている。
【００５５】
図６は、不透水層上端と飽和層に対する地下水の揚水工法と不飽和層に対する土壌ガス吸引工法を交互に構成する実施の形態図である。
【００５６】
本実施の形態では、不飽和層１に設置されている井戸６には汚染浄化部１１の排気ポンプ２３を結合し、飽和層２と不透水層上端３に設置されている各井戸７、８に汚染浄化部１１の排水ポンプ２７を結合して交互に稼働するように制御バルブを操作することで、地下水の揚水工法と土壌ガス吸引工法とを随意に構成している。
【００５７】
図７は、不透水層上端に対して地下水の揚水工法を構成し、水位の低下している飽和層と不飽和層とに土壌ガス吸引工法を交互に構成する実施の形態図である。
【００５８】
本実施の形態では、不飽和層１と飽和層２とに設置されている各井戸６、７には汚染浄化部１１の排気ポンプ２３を結合し、不透水層上端３に設置されている井戸８に汚染浄化部１１の排水ポンプ２７を結合して交互に稼働するように制御バルブを操作することで、地下水の揚水工法と土壌ガス吸引工法とを随意に構成している。
【００５９】
図８は、不透水層上端と飽和層に対してスパージング工法から地下水の揚水工法を構成し、水位の低下している不透水層上端に対して地下水の揚水工法を構成しながら、地下水の揚水に追随して飽和層と不飽和層とに土壌ガス吸引工法を暫時構成する実施の形態図である。
【００６０】
本実施の形態では、最初に、飽和層２と不透水層上端３とに設置されている各井戸７、８に汚染浄化部１１の注気ポンプ２１を結合し、不飽和層１に設置されている井戸６に汚染浄化部１１の排気ポンプ２３を結合するように制御バルブを操作してスパージング工法を構成し、次いで、飽和層２と不透水層上端３とに設置されている各井戸７、８を汚染浄化部１１の排水ポンプ２７に結合して交互に稼働するように制御バルブを切替え操作し、さらに、飽和層２の水位が低下した段階で、飽和層２に設置されている井戸７を汚染浄化部１１の排気ポンプ２３に結合して交互に稼働するように制御バルブを切替え操作することで、地下水の揚水工法から土壌ガス吸引工法を構成させるように構成している。
【００６１】
図９は、不透水層上端と飽和層に対して地下水の揚水工法を構成し、地下水の揚水に追随して飽和層と不飽和層に構成する土壌ガス吸引工法とを交互に構成する実施の形態図である。
【００６２】
本実施の形態では、初期の段階で、不透水層上端３と飽和層２とに設置されている各井戸８、７に汚染浄化部１１の排水ポンプ２７を結合し、不飽和層に設置されている井戸を閉塞するように制御バルブを操作することで、地下水の揚水工法を構成し、地下水位の水位が低下した段階で、不飽和層１と飽和層２とに設置されている各井戸６、７には汚染浄化部１１の排気ポンプ２３を結合し、不透水層上端３に設置されている井戸８は汚染浄化部１１の排水ポンプ２７に結合した状態を継続するように制御バルブを操作して、地下水の揚水工法と土壌ガス吸引工法とを交互に稼働させるように構成している。
【００６３】
図１０は、汚染区域の周辺に止水壁を設置した実施の形態において、不透水層上端と飽和層に対してスパージング工法を構成する実施の形態図である。
【００６４】
本実施の形態では、止水壁３０を設置した範囲において、飽和層２と不透水層上端３とに設置されている各井戸７、８に汚染浄化部１１の注気ポンプ２１を結合し、不飽和層１に設置されている井戸６に汚染浄化部１１の排気ポンプ２３を結合するように制御バルブを操作してスパージング工法を構成して、止水壁３０を設置した範囲の汚染区域を確実に浄化している。
【００６５】
図１１は、汚染区域の周辺に止水壁を設置した実施の形態において、不透水層上端と飽和層に対して構成する地下水の揚水工法と不飽和層の土壌に対する土壌ガス吸引工法とを交互に構成する実施の形態図である。
【００６６】
本実施の形態では、地下水の流れを遮断している止水壁３０で囲まれた範囲において、不飽和層１に設置されている井戸６には汚染浄化部１１の排気ポンプ２３を結合し、飽和層２と不透水層上端３に設置されている各井戸７、８に汚染浄化部１１の排水ポンプ２７を結合して交互に稼働するように制御バルブを操作することで、地下水の揚水工法と土壌ガス吸引工法を交互に構成しており、止水壁３０を設置した範囲の汚染された地下水・土壌を確実に浄化している。
【００６７】
図１２は、汚染区域の周辺に止水壁を設置した実施の形態において、飽和層と不飽和層に対して注水してから地下水の揚水工法を構成し、揚水した後の飽和層と不飽和層の土壌に対しては土壌ガス吸引工法を構成して、これらを交互に適用する実施の形態図である。
【００６８】
本実施の形態では、飽和層２と不透水層上端３とに設置されている各井戸７、８に汚染浄化部１１の注水ポンプ２２を結合して飽和層と不飽和層に対して注水しており、不飽和層１に設置されている井戸６に汚染浄化部１１の排水ポンプ２７を結合するように制御バルブを操作している。
【００６９】
この操作によって、止水壁３０で区画された範囲において、注水井戸からの注水によって土粒子に付着又は土粒子間に存在するガス状の汚染物質を地下水中に遊離させ、しかる後に汚染物質の浮遊している地下水を揚水工法によって抽出することで、より確実な浄化と総合的な浄化処理期間を短縮している。
【００７０】
上記実施の形態では、排水ポンプ２７との結合を水位の上昇した状態の不飽和層１に設置されている井戸６のみで行うように説明したが、状況によっては、飽和層２の井戸７と注水ポンプ２２との結合を切り替えて排水ポンプ２７を結合することも可能であり、さらには注水を終了した後に、不透水層上端３に設置されている井戸８にも排水ポンプ２７を結合するように切り替えることも可能である。
【００７１】
尚、上述の各実施の形態において、地下水の揚水工法と土壌ガス吸引工法とは交互に構成するものとして説明してきたが、この構成は、図１で示したように、本発明による汚染浄化システムにおける汚染浄化部１１の排水ポンプ２７と排気ポンプ２３とを、３方弁のような切替バルブを設けることで交互に作動できるように併設している実施の形態に基づいている。
【００７２】
しかし、本発明は、この実施の形態に限定されるものでなく、各ポンプをそれぞれ単独に制御バルブに結合することも可能であり、このような実施の形態の場合には、汚染浄化部１１の排水ポンプ２７と排気ポンプ２３とを同時に稼働させることも可能であるから、結果的に地下水の揚水工法と土壌ガス吸引工法とを同時に稼働させる状態を構成できるものである。従って、本発明にはこのような同時に稼働の実施の形態も当然に包含されるものである。
【００７３】
以上のように、本発明による揮発性有機化合物に対する汚染浄化システムは、揮発性有機化合物の汚染区域の不透水層上端、飽和層及び不飽和層のそれぞれに設置される複数の井戸、汚染揮発性有機化合物を浄化するための注気装置と排気・排水処理装置から成る汚染浄化部及び井戸と汚染浄化部とを結合する各配管に配備され井戸と汚染浄化部との結合を選択的に設定する複数の制御バルブから構成されており、必要な場合には、これに汚染範囲の周辺に止水壁を設けたり汚染浄化部に注水装置を装備することも追加して、揮発性有機化合物の状況が変化した場合でもその対応が容易になり、加えて初期の段階で構成した工法での浄化過程においても、地下水の変動もしくは浄化の進展に応じて工法の変更が簡単に出来ることから、最も効率的な浄化を図れる工法に変更することが可能であり、汚染した揮発性有機化合物の浄化を短工期で効率的に達成することができる。
【００７５】
【発明の効果】
請求項１に記載の発明である汚染浄化システムの操作方法は、揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端と飽和層とに設置されている各井戸に汚染浄化部の注気装置を結合し、不飽和層に設置されている井戸に汚染浄化部の排気装置を結合するように制御バルブを操作することで、スパージング工法の構成を容易にして地下水に溶解している汚染物質を気化させて浄化する効果を奏している。
【００７６】
請求項２に記載の発明である汚染浄化システムの操作方法は、揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端と飽和層とに設置されている各井戸に汚染浄化部の排水装置を結合し、不飽和層に設置されている井戸を閉塞するように制御バルブを操作することで、地下水の揚水工法の構成を容易にして地下水から汚染物質を曝気させて浄化する効果を奏している。
【００７７】
請求項３に記載の発明である汚染浄化システムの操作方法は、揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端に設置されている井戸に汚染浄化部の排水装置を結合し、揚水された後の飽和層及びもしくは不飽和層に設置されている各井戸に汚染浄化部の排気装置を結合するように制御バルブを操作することで、土壌ガス吸引工法の構成を容易にして土粒子に付着もしくは土粒子間に存在するガス状の汚染物質を吸引して浄化処理する効果を奏している。
【００７８】
請求項４に記載の発明である汚染浄化システムの操作方法は、揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端と飽和層とに設置されている各井戸に汚染浄化部の排水装置を結合し、不飽和層に設置されている井戸に汚染浄化部の排気装置を結合するように制御バルブを操作することで、飽和層の地下水と不飽和層の土壌中に存在する汚染物質を、地下水の揚水工法と土壌ガス吸引工法とを構成し、交互に構成して浄化処理工期を短縮できる効果を奏している。
【００７９】
請求項５に記載の発明である汚染浄化システムの操作方法は、揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端に設置されている井戸に汚染浄化部の排水装置を結合し、揚水された後の飽和層と不飽和層に設置されている井戸に汚染浄化部の排気装置を結合するように制御バルブを操作することで、汚染地下水の水位が低下した状態にある時には、地下水の揚水工法と土壌ガス吸引工法とを構成し、交互もしくは同時に稼働させて浄化処理工期を短縮できる効果を奏している。
【００８０】
請求項６に記載の発明である汚染浄化システムの操作方法は、揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、最初に、不透水層上端と飽和層とに設置されている各井戸に汚染浄化部の注気装置を結合し不飽和層に設置されている井戸に汚染浄化部の排気装置を結合するように制御バルブを操作し、次いで、不透水層上端と飽和層とに設置されている各井戸を汚染浄化部の排水装置に結合するように制御バルブを切替え操作し、飽和層の水位が低下した段階で、飽和層に設置されている井戸を汚染浄化部の排気装置に結合するように制御バルブを切替え操作することで、スパージング工法から地下水の揚水工法へ、次いで土壌ガス吸引工法に変換させるように構成し、浄化処理の遂行に従って暫時工法を変換して、総合的な浄化処理期間を短縮できる効果を奏している。
【００８１】
請求項７に記載の発明である汚染浄化システムの操作方法は、揮発性有機化合物で汚染された土壌・地下水の存在する汚染区域の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、最初に、不透水層上端と飽和層とに設置されている各井戸に汚染浄化部の排水装置を結合して飽和層を排水し、次いで、飽和層に設置されている井戸を汚染浄化部の排気装置に結合するように制御バルブを切替え操作し、不飽和層に設置されている井戸に汚染浄化部の排気装置を結合するように制御バルブを操作することで、地下水の揚水工法から土壌ガス吸引工法に変換させるように構成し、地下水の浄化処理の進展に追随して暫時土壌ガス吸引工法に変換して、確実な浄化と総合的な浄化処理期間を短縮できる効果を奏している。
【００８３】
請求項８に記載の発明である汚染浄化システムの操作方法は、揮発性有機化合物の汚染区域の周辺に設置した止水壁、該止水壁内の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端と飽和層とに設置されている各井戸に汚染浄化部の注気装置を結合し、不飽和層に設置されている井戸に汚染浄化部の排気装置を結合するように制御バルブを操作することで、止水壁で区画された範囲の地下水にスパージング工法を構成して、目標の汚染地下水に対する浄化を確実にする効果を奏している。
【００８４】
請求項９に記載の発明である汚染浄化システムの操作方法は、揮発性有機化合物の汚染区域の周辺に設置した止水壁、該止水壁内の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端と飽和層とに設置されている各井戸に汚染浄化部の排水装置を結合し、不飽和層に設置されている井戸に汚染浄化システムの排気装置を結合するように制御バルブを操作することで、止水壁で区画された範囲において地下水の水位に適応させながら地下水揚水工法と土壌ガス吸引工法とを交互に構成して、確実な浄化と総合的な浄化処理期間を短縮できる効果を奏している。
【００８５】
請求項１０に記載の発明である汚染浄化システムの操作方法は、揮発性有機化合物の汚染区域の周辺に設置した止水壁、該止水壁内の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、最初に、不透水層上端と飽和層とに設置されている各井戸に汚染浄化部の注気装置を結合し不飽和層に設置されている井戸に汚染浄化部の排気装置を結合するように制御バルブを操作し、次いで、不透水層上端と飽和層とに設置されている各井戸を汚染浄化部の排水装置に結合するように制御バルブを切替え操作し、飽和層の水位が低下した段階で、不透水層上端の井戸を閉塞し、飽和層に設置されている井戸を汚染浄化部の排気装置に結合するように制御バルブを切替え操作することで、止水壁で区画された範囲において飽和層における地下水の水位の低下に追随して、スパージング工法から地下水の揚水工法に変換し、さらには土壌ガス吸引工法に変換させることで、確実な浄化と総合的な浄化処理期間を短縮できる効果を奏している。
【００８６】
請求項１１に記載の発明である汚染浄化システムの操作方法は、揮発性有機化合物の汚染区域の周辺に設置した止水壁、該止水壁内の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、最初に、不透水層上端と飽和層とに設置されている各井戸に汚染浄化部の排水装置を結合して飽和層を排水し、次いで、飽和層に設置されている井戸を汚染浄化部の排気装置に結合するように制御バルブを切替え操作し、不飽和層に設置されている井戸に汚染浄化部の排気装置を結合するように制御バルブを操作することで、止水壁で区画された範囲において飽和層における地下水の水位の低下に追随して、地下水の揚水工法から土壌ガス吸引工法に変換させることで、確実な浄化と総合的な浄化処理期間を短縮できる効果を奏している。
【００８７】
請求項１２に記載の発明である汚染浄化システムの操作方法は、揮発性有機化合物の汚染区域の周辺に設置した止水壁、該止水壁内の不透水層上端、飽和層及び不飽和層のそれぞれに設置される複数の井戸、汚染揮発性有機化合物を浄化するための注気装置と排気・排水処理装置から成る汚染浄化部及び該井戸と汚染浄化部とを結合する各配管に配備され該井戸と汚染浄化部との結合を選択的に設定する複数の制御バルブから構成される揮発性有機化合物に対する汚染浄化システムの操作方法において、不透水層上端及びもしくは飽和層に設置されている井戸に汚染浄化部に追加装備した注水装置を結合し、飽和層及びもしくは不飽和層に設置されている井戸に汚染浄化部の排水装置を結合するように制御バルブを操作することで、止水壁で区画された範囲において土粒子に付着又は土粒子間に存在するガス状の汚染物質を、注水井戸からの注水によって地下水中に遊離させ、しかる後に汚染物質の浮遊している地下水を揚水工法によって抽出することで、より確実な浄化と総合的な浄化処理期間を短縮できる効果を奏している。
【図面の簡単な説明】
【  図１】本発明による揮発性有機化合物に対する汚染浄化システムの概要図
【  図２】本発明による揮発性有機化合物に対する汚染浄化システムにおいて汚染区域の周辺に止水壁を設置した実施の形態図
【  図３】本発明による汚染浄化システムにおいて、不透水層上端と飽和層に対してスパージング工法を構成する実施の形態図
【  図４】本発明による汚染浄化システムにおいて、不透水層上端と飽和層に対して地下水の揚水工法を構成する実施の形態図
【  図５】本発明による汚染浄化システムにおいて、水位の低下した不透水層上端に対する地下水の揚水工法と揚水した後の飽和層と不飽和層の土壌ガス吸引工法を交互に構成させる実施の形態図
【  図６】本発明による汚染浄化システムにおいて、不透水層上端と飽和層に対する地下水の揚水工法と不飽和層に対する土壌ガス吸引工法とを交互に構成する実施の形態図
【  図７】本発明による汚染浄化システムにおいて、水位の低下している不透水層上端に対する地下水の揚水工法と揚水した後の飽和層と不飽和層の土壌ガス吸引工法とを交互に構成する実施の形態図
【  図８】本発明による汚染浄化システムにおいて、不透水層上端と飽和層に対してスパージング工法から地下水の揚水工法を構成し、地下水の揚水に追随して飽和層と不飽和層とに土壌ガス吸引工法を暫時構成する実施の形態図
【  図９】本発明による汚染浄化システムにおいて、不透水層上端と飽和層に対して地下水の揚水工法を構成し、地下水の揚水に追随して飽和層と不飽和層に暫時土壌ガス吸引工法を構成する実施の形態図
【  図１０】本発明による汚染浄化システムの汚染区域の周辺に止水壁を設置し、不透水層上端と飽和層の地下水に対してスパージング工法を構成する実施の形態図
【  図１１】本発明による汚染浄化システムの汚染区域の周辺に止水壁を設置し、不透水層上端と飽和層に対して構成する地下水の揚水工法と不飽和層の土壌ガス吸引工法とを交互に構成する実施の形態図
【  図１２】本発明による汚染浄化システムの汚染区域の周辺に止水壁を設置し、飽和層に注水してから地下水の揚水工法を構成し、揚水した後の飽和層と不飽和層の土壌に対して土壌ガス吸引工法を構成する実施の形態図
【  図１３】従来から、それぞれに単独で実施されている３工法
【符号の説明】
１  不飽和層、  ２  飽和層、  ３  不透水層、  ４  土壌、  ５  地下水、
６  不飽和層に配置の井戸、  ７  飽和層に配置の井戸、
８  不透水層に配置の井戸、  １０  複数の井戸、  １１  汚染浄化部、
１２  複数の制御バルブ、  ２１  注気ポンプ、  ２２  注水ポンプ、
２３  排気ポンプ、  ２４  気液分離装置、  ２５  移送ブロア、
２６  ガス処理装置、  ２７  排水ポンプ、  ２８  曝気装置、
２９  制御装置、  ３０  止水壁、
５０  スパージング工法、  ５１  汚染浄化システム、  ５２  注気装置、
５３  吸引ポンプ、  ５４  気液分離器、  ５５  ブロアー、
５６  ガス処理装置、  ６０  地下水の揚水工法、
６１  汚染浄化システム、    ６２  排水ポンプ、  ６３  曝気槽装置、
７０  土壌ガス吸引工法、
【図１】
0003975426.tif 000002
【図２】
0003975426.tif 000003
【図３】
0003975426.tif 000004
【図４】
0003975426.tif 000005
【図５】
0003975426.tif 000006
【図６】
0003975426.tif 000007
【図７】
0003975426.tif 000008
【図８】
0003975426.tif 000009
【図９】
0003975426.tif 000010
【図１０】
0003975426.tif 000011
【図１１】
0003975426.tif 000012
【図１２】
0003975426.tif 000013
【図１３】
0003975426.tif 000014